(57)【要約】【課題】確実に放電ランプを始動できる放電灯点灯装置を提供する。【解決手段】コンデンサＣ１２，Ｃ１３の合成容量を高圧放電ランプ１５の浮遊容量の１００倍以上にする。コンデンサＣ１２，Ｃ１３およびバラストＬ３で共振させて、インバータ回路６１の出力電圧を高くする。高圧放電ランプ１５の浮遊容量にばらつきがあっても高圧放電ランプ１５の浮遊容量を無視でき、ＬＣ共振回路６３の共振周波数に影響を与えない。高圧放電ランプ１５が点灯していない無負荷状態でインバータ回路６１により生ずる始動パルスの電圧をＬＣ共振回路６３の共振により高くすることができ、高圧放電ランプ１５を確実に始動できる。【選択図】　　　　図１
2004047234.tif 000002
【特許請求の範囲】
【請求項１】
電極および始動補助体を備え電極および始動補助体間に浮遊容量を有する放電ランプが接続され、共振インダクタおよび共振コンデンサを有し、共振コンデンサの容量は放電ランプの浮遊容量の１００倍以上の容量であるＬＣ共振回路を含む主回路と；
この主回路が出力側に接続されこの主回路を介して放電ランプを始動、点灯させ、主回路のＬＣ共振回路の無負荷時の共振周波数で動作するインバータ回路と；
を具備したことを特徴とする放電灯点灯装置。
【請求項２】
電極および始動補助体を備え電極および始動補助体間に浮遊容量を有する放電ランプが接続され、共振インダクタを有し放電ランプの浮遊容量および共振インダクタで共振するＬＣ共振回路を含む主回路と；
この主回路が出力側に接続されこの主回路を介して放電ランプを始動、点灯させ、主回路のＬＣ共振回路の無負荷時の共振周波数で動作するインバータ回路と；
を具備したことを特徴とする放電灯点灯装置。
【請求項３】
請求項１または２記載の放電灯点灯装置と；
この放電灯点灯装置で点灯される放電ランプが取り付けられる器具本体と；
を具備したことを特徴とする照明装置。
【発明の詳細な説明】
【０００１】
【発明の属する技術分野】
本発明は、インバータ回路により放電ランプを点灯させる放電灯点灯装置および照明装置に関する。
【０００２】
【従来の技術】
従来、この種の放電灯点灯装置としては、たとえば特開２０００−５８２８４号公報に記載の構成が知られている。この特開２０００−５８２８４号公報に記載の放電灯点灯装置は、電源に昇圧チョッパ回路を接続し、この昇圧チョッパ回路にインバータ回路を接続し、このインバータ回路により始動時には始動パルスを高圧放電ランプに印加し、始動、点灯させるものである。
【０００３】
そして、始動時には高圧放電ランプの放電を開始させるため、放電電圧より高い電圧の始動パルスを高圧放電ランプに印加する必要があり、昇圧チョッパ回路の出力を最大にした状態でインバータ回路に電力を供給し、高圧放電ランプに始動パルスを印加している。
【０００４】
【発明が解決しようとする課題】
しかしながら、チョッパ回路の出力を大きくしている状態で、インバータ回路により始動パルスを出力すると、チョッパ回路のストレスが大きくなりチョッパ回路を大型化する必要が生じる問題を有している。
【０００５】
本発明は、上記問題点に鑑みなされたもので、放電ランプを確実に始動できる放電灯点灯装置および照明装置を提供することを目的とする。
【０００６】
【課題を解決するための手段】
請求項１記載の放電灯点灯装置は、電極および始動補助体を備え電極および始動補助体間に浮遊容量を有する放電ランプが接続され、共振インダクタおよび共振コンデンサを有し、共振コンデンサの容量は放電ランプの浮遊容量の１００倍以上の容量であるＬＣ共振回路を含む主回路と；この主回路が出力側に接続されこの主回路を介して放電ランプを始動、点灯させ、主回路のＬＣ共振回路の無負荷時の共振周波数で動作するインバータ回路とを具備したもので、共振コンデンサの容量を放電ランプの浮遊容量の１００倍以上の容量としたため、放電ランプの浮遊容量にばらつきが生じていても、共振コンデンサおよび共振インダクタの共振に影響を与えずに、放電ランプの点灯していない無負荷時の共振周波数が変化しないため、インバータ回路は無負荷時の共振周波数で動作する。
【０００７】
請求項２記載の放電灯点灯装置は、電極および始動補助体を備え電極および始動補助体間に浮遊容量を有する放電ランプが接続され、共振インダクタを有し放電ランプの浮遊容量および共振インダクタで共振するＬＣ共振回路を含む主回路と；この主回路が出力側に接続されこの主回路を介して放電ランプを始動、点灯させ、主回路のＬＣ共振回路の無負荷時の共振周波数で動作するインバータ回路とを具備したもので、放電ランプの電極および始動補助体の間の浮遊容量で共振させることにより、ＬＣ共振回路の共振コンデンサが不要になり回路構成を簡単にして確実に動作するとともに、放電ランプが接続されていない状態ではＬＣ共振回路は共振せず、不要なストレスなどが生じない。
【０００８】
請求項３記載の照明装置は、請求項１または２記載の放電灯点灯装置と；この放電灯点灯装置で点灯される放電ランプが取り付けられる器具本体とを具備したもので、それぞれの作用を奏する。
【０００９】
【発明の実施の形態】
以下、本発明の照明装置の一実施の形態を図面に示すスポットライトを参照して説明する。
【００１０】
図１は放電灯点灯装置を示す回路図、図２はスポットライトを示す断面図、図３は高圧放電ランプの一部を切り欠いて示す側面図、図４は高圧放電ランプの発光管を切り欠いて示す側面図である。
【００１１】
図２に示すように、照明装置としてのスポットライト１は器具本体としてのスポットライト本体２を備え、このスポットライト本体２は天井などに取り付けられる天井取付部３を有し、この天井取付部３にアーム４が設けられている。また、アーム４には前面が開口し内部が中空なケース体５が取り付けられ、このケース体１の前面の開口に臨んでライト部６が設けられている。そして、このライト部６は、筒状の基体部７を有し、この基体部７の基端側には回転反射面が形成された反射体８が取り付けられ、この反射体８の基端側にはランプソケット１１が設けられ、基体部７の先端には開口を閉塞する前面ガラス１２が設けられている。さらに、ランプソケット１１にはたとえば２０Ｗセラミックメタルハライドランプなどの高圧放電ランプ１５が装着され、この高圧放電ランプ１５の先端部分には筒状の遮光体１６が間隙を介して取り付けられている。そして、このランプソケット１１には、スポットライト本体２とは別個で配設された図１に示す放電灯点灯装置１８が電気的に接続される。
【００１２】
また、高圧放電ランプ１５は、図３に示すように、ランプ基体２１を有し、このランプ基体２１にはランプソケット１１に電気的および機械的に接続される口金２２が形成され、先端側には透光性を有する先端が円弧状に閉塞され内部が真空の筒状の外管２３を有している。そして、外管２３内には、発光管２４が収納されており、この発光管２４は透光性セラミック容器の放電容器２５を有し、この放電容器２５は断面がほぼ真円のほぼ球状の包囲部２６と、この包囲部２６の上下方向にそれぞれ曲面で連続して形成されたキャピラリといわれる小径筒部２７，２８が上下対称に形成されている。また、それぞれの小径筒部２７，２８の先端はシール３１，３２により閉塞され、小径筒部２７のシール３１には上部側の上部導入導体３３が挿入され、小径筒部２８のシール３２には下部側の下部導入導体３４が挿入されている。さらに、上部導入導体３３には口金２２に電気的に接続された外部接続端子３５が電気的に接続され、この外部接続端子３５は下側の小径筒部２８の周囲に巻回された始動補助体としての金属コイル３６に電気的に接続されるとともに、ゲッタ３７が支持されている。また、下部導入導体３４には上側の小径筒部２７の周囲に巻回された始動補助体としての金属コイル３８が電気的に接続され、下部導入導体３４も外部接続端子３５とは電気的に絶縁された状態で口金２２に電気的に接続されている。そして、電極４１，４４および金属コイル３６，３８などの間で浮遊容量を形成している。
【００１３】
さらに、放電容器２５の内部には、ネオン（Ｎｅ）、アルゴン（Ａｒ）などの始動ガスを含む放電ガスが封入され、上側の小径筒部２７内には上部導入導体３３に電気的に接続された上部側の電極４１が取り付けられ、この電極４１は上部導入導体３３に接続された軸部４２および包囲部２６内に位置し軸部４２の先端に取り付けられたコイル部４３を有しており、一方、下側の小径筒部２８内には下部導入導体３４に電気的に接続された下側の電極４４が上部側の電極４１に対向して設けられ、この下部側の電極４４は下部導入導体３４に接続された軸部４５および包囲部２６内に位置し軸部４５の先端に取り付けられ上側のコイル部４３に対向する下側のコイル部４６を有している。そして、電極４１に対して極性の異なる金属コイル３６が対向し、電極４４に対しても同様に極性の異なる金属コイル３８が対向し、電極４１，４４および金属コイル３６，３８などの間で浮遊容量を形成している。
【００１４】
次に、放電灯点灯装置１８を図１を参照して説明する。
【００１５】
まず、商用交流電源ｅにヒューズＦ、抵抗Ｒ１を介してノイズフィルタ回路５１が接続され、このノイズフィルタ回路５１はコンデンサＣ１およびトランスＴｒ１が接続されて形成され、チョッパ回路５２に接続されている。
【００１６】
このチョッパ回路５２は、トランスＴｒ１にダイオードＤ１〜Ｄ４の全波整流手段としてのダイオードブリッジ５３の交流入力端子が接続され、このダイオードブリッジ５３の出力端子には平滑手段となる平滑用のコンデンサＣ２が接続され、このコンデンサＣ２にはチョッパ部５４が接続されている。また、チョッパ部５４は、コンデンサＣ２に対して並列にインダクタＬ１、スイッチング素子としての電界効果トランジスタＱ１および電流検出用の抵抗Ｒ２の直列回路が接続され、電界効果トランジスタＱ１および抵抗Ｒ２の直列回路にはダイオードＤ５およびコンデンサＣ３の直列回路が接続されている。
【００１７】
さらに、コンデンサＣ２に対して並列に、入力電圧を検出する分圧用の抵抗Ｒ４および抵抗Ｒ５の直列回路が接続され、これら抵抗Ｒ４および抵抗Ｒ５の接続点にはチョッパ回路制御手段となるたとえばＳＴマイクロ社製型番Ｌ６５６１のＩＣ５５の３番ピンに接続されている。また、同様に、コンデンサＣ２に対して並列に、抵抗Ｒ６、抵抗Ｒ７およびコンデンサＣ４の時定数回路で構成される起動回路となるとともに電源を構成する直列回路が接続され、抵抗Ｒ７およびコンデンサＣ４の接続点はＩＣ５５の８番ピンに接続されている。さらに、インダクタＬ１には、インダクタＬ１に流れる電流を検出する検出巻線Ｌ２が磁気的に結合され、この検出巻線Ｌ２は抵抗Ｒ３を介してＩＣ５５の５番ピンに接続されるとともに、ＩＣ５５の６番ピンおよびダイオードブリッジ５３の負極に接続される。また、検出巻線Ｌ２および抵抗Ｒ３の接続点は、コンデンサＣ５、抵抗Ｒ８、ダイオードＤ６およびコンデンサＣ６の直列回路を介してダイオードブリッジ５３の負極に接続され、ダイオードＤ６およびコンデンサＣ６の直列回路に対して並列にツェナダイオードＺＤ１が接続され、ダイオードＤ６およびコンデンサＣ６の接続点にはＩＣ５５の８番ピンが接続されている。
【００１８】
また、ＩＣ５５の１番ピンおよび２番ピンの間にはコンデンサＣ７が接続され、ＩＣ５５の３番ピンはコンデンサＣ８を介してダイオードブリッジ５３の負極に接続されている。さらに、ＩＣ５５の４番ピンは電界効果トランジスタＱ１および抵抗Ｒ２の接続点に接続され、ＩＣ５５の７番ピンは抵抗Ｒ９を介して電界効果トランジスタＱ１のゲートに接続されている。
【００１９】
なお、チョッパ回路５２のＩＣ５５を起動する起動回路の抵抗Ｒ６、抵抗Ｒ７、コンデンサＣ４およびコンデンサＣ６の時定数を１秒ないし３秒、好ましくは２秒程度に設定している。
【００２０】
さらに、コンデンサＣ３に対して並列に出力設定回路５６が接続されている。この出力設定回路５６は、コンデンサＣ３に対して並列に抵抗Ｒ１１、抵抗Ｒ１２および抵抗Ｒ１３の直列回路が接続され、抵抗Ｒ１１および抵抗Ｒ１２の接続点は逆極性のダイオードＤ７を介して、抵抗Ｒ１２および抵抗Ｒ１３の接続点は順極性のダイオードＤ８を介して、それぞれＩＣ５５のフィードバック用の１番ピンに接続されている。なお、この１番ピンに入力される電圧により、電界効果トランジスタＱ１の動作を制御して、チョッパ回路５２が一定の出力電圧になるように制御する。
【００２１】
そして、チョッパ回路５２には、ハーフブリッジ形のインバータ回路６１が接続され、このインバータ回路６１はスイッチング素子としての電界効果トランジスタＱ２および電界効果トランジスタＱ３の直列回路を有し、電界効果トランジスタＱ３には、直流カット用のコンデンサＣ１１には主回路６２が接続され、この主回路６２は、直流カット用のコンデンサＣ１１、共振インダクタとしてのバラストＬ３、共振コンデンサとしてのコンデンサＣ１２およびコンデンサＣ１３の直列回路のＬＣ共振回路６３、および、抵抗Ｒ１４および抵抗Ｒ１４に対して並列に接続されたダイオードＤ１２およびダイオードＤ１１の直列回路の電流検出回路６４が接続されている。なお、ＬＣ共振回路６３の共振周波数は、２０ｋＨｚから５００ｋＨｚの範囲のいずれかの周波数であり、共振コンデンサとしてのコンデンサＣ１２およびコンデンサＣ１３の合成容量は、高圧放電ランプ１５の電極４１，４４および金属コイル３６，３８などの間の浮遊容量より１００倍程度大きな容量である。
【００２２】
また、インバータ回路６１は制御回路６５を有し、この制御回路６５はダイオードＤ５および電界効果トランジスタＱ２の接続点から抵抗Ｒ１５および抵抗Ｒ１６の直列回路が接続され、進相発振検出手段およびパルス波高制御回路としても機能するインバータ回路制御手段としてのたとえばフィリップスセミコンダクタ社製型番ＵＢＡ２０２１のＩＣ６６の１３番ピンに接続され、このＩＣ６６の５番ピンおよび７番ピン間にコンデンサＣ１５が接続され、抵抗Ｒ１５、抵抗Ｒ１６およびコンデンサＣ１５の時定数回路で構成される起動回路が形成され、このコンデンサＣ１５に対して並列にダイオードＤ１５およびダイオードＤ１６の直列回路が接続され、ダイオードＤ１５およびダイオードＤ１６の接続点は、コンデンサＣ１６を介して電界効果トランジスタＱ２および電界効果トランジスタＱ３の接続点に接続され、コンデンサＣ１６、ダイオードＤ１５、ダイオードＤ１６およびコンデンサＣ１５でＩＣ６６の電源を構成している。
【００２３】
さらに、抵抗Ｒ１６は電界効果トランジスタＱ４のゲートに接続され、この電界効果トランジスタＱ４のソース、ドレイン間には抵抗Ｒ１７および抵抗Ｒ１８の直列回路が接続され、抵抗Ｒ１７および抵抗Ｒ１８の接続点は抵抗Ｒ１９を介してＩＣ６６の１０番ピンに接続され、抵抗Ｒ１８および抵抗Ｒ１９の直列回路に対して並列にコンデンサＣ１７が接続されている。また、電界効果トランジスタＱ４のソースはコンデンサＣ１８を介してＩＣ６６の１４番ピンに、コンデンサＣ１９を介してＩＣ６６の１２番ピンに、コンデンサＣ２０を介してＩＣ６６の８番ピンに、そのままＩＣ６６の１１番ピンに接続されている。
【００２４】
また、ＩＣ６６の５番ピンおよび９番ピンの間には抵抗Ｒ２１が接続され、ＩＣ６６の９番ピンおよび７番ピンの間には抵抗Ｒ２２が接続され、ＩＣ６６の１番ピンおよび３番ピンの間にはコンデンサＣ２１が接続され、このＩＣ６６の３番ピンは電界効果トランジスタＱ２および電界効果トランジスタＱ３の接続点に接続されている。そして、インバータ回路６１の電界効果トランジスタＱ２および電界効果トランジスタＱ３を高圧放電ランプ１５が点灯していない無負荷共振時の共振周波数である上述の２０ｋＨｚから５００ｋＨｚの範囲の設定されている周波数で動作させる。
【００２５】
さらに、ＩＣ６６の２番ピンには電界効果トランジスタＱ２のゲートが接続され、ＩＣ６６の６番ピンには電界効果トランジスタＱ３のゲートが接続され、電界効果トランジスタＱ２および電界効果トランジスタＱ３を交互に、オン、オフする。
【００２６】
なお、インバータ回路６１のＩＣ６６を起動する起動回路の抵抗Ｒ１５、抵抗Ｒ１６およびコンデンサＣ１５の時定数を１秒以内に設定し、チョッパ回路５２のＩＣ５５を起動する起動回路の抵抗Ｒ６、抵抗Ｒ７、コンデンサＣ４およびコンデンサＣ６の時定数の２秒程度より短くすることにより、電源投入後設定された時間が経過した後にまずＩＣ６６が動作してインバータ回路６１が出力し、その後、ＩＣ５５が動作してチョッパ回路５２が出力するようにしている。
【００２７】
また、バラストＬ３およびコンデンサＣ１２の接続点には、高圧放電ランプ１５の一端が接続され、この高圧放電ランプ１５の他端はランプ電力検出回路６７を介して電界効果トランジスタＱ３および抵抗Ｒ１４の接続点に接続されている。
【００２８】
そして、ランプ電力検出回路６７は、高圧放電ランプ１５に対して直列に比較的抵抗値の小さい電流検出用の抵抗Ｒ３１が接続され、高圧放電ランプ１５に対して並列に抵抗Ｒ３１に比べてそれぞれ十分に抵抗値が高い抵抗Ｒ３２および抵抗Ｒ３３の直列回路が並列に接続されている。また、抵抗Ｒ３２および抵抗Ｒ３３の接続点はダイオードＤ１７および抵抗Ｒ３４を介してダイオードＤ７およびダイオードＤ８の接続点に接続され、ダイオードＤ１７および抵抗Ｒ３４の接続点はコンデンサＣ２１を介して電界効果トランジスタＱ３および抵抗Ｒ１４の接続点に接続されている。
【００２９】
また、高圧放電ランプ１５およびランプ電力検出回路６７に対して並列に始動パルス発生回路６８を接続し、この始動パルス発生回路６８は高圧放電ランプ１５および抵抗Ｒ３１に対して並列に、抵抗Ｒ３６および抵抗Ｒ３７の直列回路を接続し、抵抗Ｒ３６および抵抗Ｒ３７の接続点にコンデンサＣ２２を接続し、このコンデンサＣ２２にダイオードＤ２１およびダイオードＤ２２を介してそれぞれコンデンサＣ２３の両端に接続している。さらに、コンデンサＣ２３に対して並列に、ツェナダイオードＺＤ２およびコンデンサＣ２４の直列回路を接続し、コンデンサＣ２４に対して並列に抵抗Ｒ３８を接続し、ツェナダイオードＺＤ２およびコンデンサＣ２４の接続点を電界効果トランジスタＱ５のゲートに接続し、この電界効果トランジスタＱ５のドレイン、ソースをＩＣ６６の５番ピンおよび７番ピンにそれぞれ接続する。
【００３０】
次に、上記実施の形態の動作について説明する。
【００３１】
まず、商用交流電源ｅを投入すると、ダイオードブリッジ５３で全波整流し、コンデンサＣ２で平滑してチョッパ回路５２に直流電圧を印加する。さらに、コンデンサＣ３で平滑され、インバータ回路６１に直流電圧を印加する。ＩＣ５５は電源投入後２秒程度動作しないので、チョッパ回路５７は動作せず昇圧しないコンデンサＣ３の電圧のそのままの出力電圧を出力している状態である。
【００３２】
そして、ＩＣ６６は電源投入後１秒以内に動作を開始するため、チョッパ回路５２が動作を開始する前にＬＣ共振回路６３の無負荷共振周波数で電界効果トランジスタＱ２および電界効果トランジスタＱ３を交互にオン、オフさせ、ＬＣ共振回路６３により共振した電圧を高圧放電ランプ１５に印加する。なお、電流検出回路６４により主回路６２の電流を検出してＩＣ６６の進相発振検出手段としての機能により、インバータ回路６１が進相領域の周波数で発振している場合には、無負荷共振周波数付近の周波数で動作するように制御する。そして、高圧放電ランプ１５は、点灯していない無負荷状態であるため電圧が高い状態であり抵抗Ｒ３６および抵抗Ｒ３７の電圧も上昇し、ツェナダイオードＺＤ２がオンし、コンデンサＣ２４を充電する。このコンデンサＣ２４が充電されると電界効果トランジスタＱ５をオンし、ＩＣ６６の５番ピンおよび７番ピン間を短絡してコンデンサＣ１５を短絡させて、ＩＣ６６の出力を停止させて電界効果トランジスタＱ２および電界効果トランジスタＱ３のいずれもオフ状態にする。すなわち、ＩＣ６６のオンしている状態ではインバータ回路６１から高周波交流を出力し、ＩＣ６６のオフしている状態ではインバータ回路６１の出力を停止して、始動パルスを高圧放電ランプ１５に印加する。このとき抵抗Ｒ１４に流れる電流を検出してＩＣ６６は電界効果トランジスタＱ２および電界効果トランジスタＱ３のオン、オフを制御し、始動パルスの波高が一定になるように制御する。なお、始動パルスのオン時間はコンデンサＣ２４の充電時間で設定し、オフ時間はコンデンサＣ２４の放電時間、および、抵抗Ｒ１５、抵抗Ｒ１６およびコンデンサＣ１５で決まるＩＣ６６の電源の充電時定数を用いて設定する。
【００３３】
そして、高圧放電ランプ１５がグロー放電を開始する電源投入後２秒程度たった後、チョッパ回路５２のＩＣ５５が動作を開始し、高圧放電ランプ１５がグロー放電を開始すると高圧放電ランプ１５の電圧が低下し、抵抗Ｒ３２および抵抗Ｒ３３の電圧が低下するとともに抵抗Ｒ３１の電圧が上昇し、これらの加算された電圧が高圧放電ランプ１５の電力でありダイオードＤ７およびダイオードＤ８の接続点に印加されるが、高圧放電ランプ１５が点灯していない状態と比較してダイオードＤ７およびダイオードＤ８の電圧は低下するため、ダイオードＤ８を介して電流をＩＣ５５の１番ピンに入力してＩＣ５５は電界効果トランジスタＱ１をオン、オフさせ、出力設定回路５６で設定されている最大の電圧でチョッパ回路５２を動作させて昇圧し、インバータ回路６１に昇圧した電圧を印加して、この昇圧した電圧によりインバータ回路６１は動作し、高圧放電ランプ１５に電圧を印加して、グローアーク転移を確実にする。なお、高圧放電ランプ１５の電流を検出するのも抵抗Ｒ３１であり、電圧を検出するのも抵抗Ｒ３２，Ｒ３３であり、いずれも抵抗成分であるため、電流および電圧を同相で検出できるため、電流および電圧を加算することにより、高圧放電ランプ１５の電力を検出できる。このように、インバータ回路６１が動作した後の所定時間にチョッパ回路５２が動作するので、特にネオン（Ｎｅ）、アルゴン（Ａｒ）を用いた高圧放電ランプ１５では、アーク転移のために１秒ないし３秒程度は高い開放電圧が印加されてグロー放電時間を確保してグローアーク転移時間を適切にでき、高圧放電ランプ１５にストレスがかかることを防止する。
【００３４】
また、チョッパ回路５２は、入力電圧に対応する抵抗Ｒ４および抵抗Ｒ５の電位、および、高圧放電ランプ１５の電力に対応するダイオードＤ７およびダイオードＤ８の電位に基づき、出力設定回路５６で設定される出力電圧の範囲内でチョッパ回路５２の出力電圧を制御する。
【００３５】
さらに、抵抗Ｒ１５および抵抗Ｒ１６により電界効果トランジスタＱ２および電界効果トランジスタＱ３に印加される電圧を検知して、電界効果トランジスタＱ４のソース、ドレイン間の見掛け上の抵抗値を変化させて、電界効果トランジスタＱ２および電界効果トランジスタＱ３の周波数を制御して、インバータ回路６１の出力を制御する。
【００３６】
上記実施の形態によれば、共振コンデンサであるコンデンサＣ１２およびコンデンサＣ１３の合成容量を高圧放電ランプ１５の浮遊容量の１００倍以上にしたため、高圧放電ランプ１５の浮遊容量にばらつきがあっても高圧放電ランプ１５の浮遊容量を無視でき、ＬＣ共振回路６３の共振周波数に影響を与えないため、高圧放電ランプ１５が点灯していない無負荷状態でインバータ回路６１により生ずる始動パルスの電圧をＬＣ共振回路６３の共振により高くすることができ、高圧放電ランプ１５を確実に始動できる。
【００３７】
そして、グロー放電時間を確保することにより、高圧放電ランプ１５のいずれの電極４１，４４も十分に加熱昇温させることができるため、いずれか一方の電極４１，４４のみがアンバランスに昇温して半波アークが生ずることがなくなり、グロー側となった電極４１，４４のスパッタが促進され、点滅黒化特性が低下して、発光効率が低下することを防止する。
【００３８】
さらに、始動パルスの発生している状態では、チョッパ回路５２を動作させないことにより、チョッパ回路５２にかかるストレスも小さくできるため、電界効果トランジスタＱ１その他の部品の耐電圧を低くでき、チョッパ回路５２の小型化も図れる。
【００３９】
なお、上記実施の形態では、インバータ回路６１が起動した後チョッパ回路５２が起動するまでの間の所定時間は、チョッパ回路５２を動作させていないが、出力設定回路５６により始動パルスが出力されている状態で、チョッパ回路５２の出力電圧で設定できる最低の電圧で一定の状態にするようにしてもよい。
【００４０】
次に、他の実施の形態を図５を参照して説明する。
【００４１】
図５は他の実施の形態の放電灯点灯装置を示す回路図で、基本的には図１に示す放電灯点灯装置１８と同様の回路で、共振コンデンサとしてのコンデンサＣ１２およびコンデンサＣ１３が除かれ、高圧放電ランプ１５の浮遊容量および共振インダクタとしてのバラストＬ３により共振させる。なお、高圧放電ランプ１５は、外管２３と発光管２４の二重間構造であり、外管２３内が真空であるため、浮遊容量間に充分に高い電圧を発生できる。
【００４２】
そして、基本的な動作も図１に示す放電灯点灯装置１８と同様であるが、高圧放電ランプ１５およびバラストＬ３などの共振によりＬＣ共振回路６３の無負荷時の共振周波数が決定され、仮に高圧放電ランプ１５の浮遊容量にばらつきがあったとしても、ＩＣ６６の進相発振検出機能によりＩＣ６６はインバータ回路６１の発振周波数を常に無負荷共振周波数に合わせて発振するため、ＬＣ共振回路６３により確実に共振させることができ、インバータ回路６１により十分に高い電圧の始動パルスを得ることができる。
【００４３】
また、高圧放電ランプ１５が外れている状態では、共振コンデンサとなる高圧放電ランプ１５がなくなり、ＬＣ共振回路６３は共振しないため共振電圧が生じず、高い電圧の始動パルスを発生しないため、インバータ回路６１などにストレスを与えたり、雑音が発生することを防止する。
【００４４】
さらに、高圧放電ランプ１５が寿命末期などで外管２３内に発光管２４からガスが流出した場合、あるいは、外管２３がリークした場合には、比較的低い電圧で浮遊容量間で放電が起こり、電極４１，４４間で放電を開始させることができなくなり、異常放電を防止する。
【００４５】
【発明の効果】
請求項１記載の放電灯点灯装置によれば、共振コンデンサの容量を放電ランプの浮遊容量の１００倍以上の容量としたため、放電ランプの浮遊容量にばらつきが生じていても、共振コンデンサおよび共振インダクタの共振に影響を与えずに、放電ランプの点灯していない無負荷時の共振周波数が変化しないため、インバータ回路は無負荷時の共振周波数で確実に動作できる。
【００４６】
請求項２記載の放電灯点灯装置によれば、放電ランプの電極および始動補助体の間の浮遊容量で共振させることにより、ＬＣ共振回路の共振コンデンサが不要になり回路構成が簡単して確実に動作できるとともに、放電ランプが接続されていない状態ではＬＣ共振回路は共振せず、不要にストレスなどが生じることを防止できる。
【００４７】
請求項３記載の照明装置によれば、請求項１または２記載の放電灯点灯装置で点灯される放電ランプが取り付けられる器具本体を具備したので、それぞれの効果を奏することができる。
【図面の簡単な説明】
【図１】本発明の放電灯点灯装置の一実施の形態を示す回路図である。
【図２】同上スポットライトを示す断面図である。
【図３】同上高圧放電ランプの一部を切り欠いて示す側面図である。
【図４】同上高圧放電ランプの発光管を切り欠いて示す側面図である。
【図５】同上他の実施の形態の放電灯点灯装置を示す回路図である。
【符号の説明】
１　　照明装置としてのスポットライト
２　　器具本体としてのスポットライト本体
１５　　高圧放電ランプ
１８　　放電灯点灯装置
３６，３８　　始動補助体としての金属コイル
４１，４４　　電極
６１　　インバータ回路
６２　　主回路
６３　　ＬＣ共振回路
Ｃ１２，Ｃ１３　　共振コンデンサ
Ｌ３　　共振インダクタとしてのバラスト
【図１】
2004047234.tif 000003
【図２】
2004047234.tif 000004
【図３】
2004047234.tif 000005
【図４】
2004047234.tif 000006
【図５】
2004047234.tif 000007